(57)【要約】【課題】組み立て分解操作が容易な掲示板固定構造を提供しようとする。【解決手段】掲示板を固定棒に締結する固定構造であって、掲示板の裏面側に設けられて後方に延出し先端に鉤曲り部を備える係止部材と、山状に屈曲した曲り部と該曲り部を間にした脚部の一対から形成された細長の部材から成り、該曲り部の内側に向けて螺子孔が形成され、各前記脚部の先端部に前記鉤曲り部と係合した係合部を備える、抱え部材と、前記螺子孔に螺入した締結ボルトとを含んで成り、固定棒が該曲り部の内側に抱えられて該曲り部と前記掲示板との間に位置して、前記締結ボルトの先端が前記固定棒を押圧し、前記掲示板が前記固定棒に前記抱え部材及び前記係止部材を介して締結された掲示板固定構造であり、前記係合部の、一対の前記脚部のいずれとも平行な面と直交しかつ該係合部を備える前記脚部の長手方向と平行な断面の形状がＴ字状である掲示板固定構造である。【選択図】  図２
2004361441.tif 000002
【特許請求の範囲】
【請求項１】
掲示板を固定棒に締結する固定構造であって、
掲示板の裏面側に設けられた係止部材と、
細長の部材から成り、該部材の長手方向中央部で山状に屈曲した曲り部と該曲り部を間にした脚部の一対から形成され、該曲り部に該曲り部の内側に向けて螺子孔が形成され、各前記脚部の先端部に前記係止部材と係合した係合部を備える、抱え部材と、
前記螺子孔に螺入した締結ボルトとを含んで成り、
固定棒が該曲り部の内側に抱えられて該曲り部と前記掲示板との間に位置して、前記締結ボルトの先端が前記固定棒を押圧し、前記掲示板が前記固定棒に前記抱え部材及び前記係止部材を介して締結された掲示板固定構造。
【請求項２】
前記係止部材が、互いに面対称に位置して先端を対向させた一対の前記鉤曲り部を有する請求項１乃至３のいずれかに記載の掲示板固定構造。
【請求項３】
前記係合部が、前記脚部の先端部から該脚部の長手方向に延出する延出部と、一対の前記脚部のいずれとも平行な面と直交する相反する２方向に該延出部からそれぞれ延出する係止片の一対とを有する請求項１又は２に記載の掲示板固定構造。
【請求項４】
前記細長の部材が、帯状部材を含み、前記脚部において該脚部の長手方向を軸として該帯状部材が９０度ひねられ、該脚部の先端に該脚部の長手方向に切り込みが形成され、該切り込みを境として該脚部の先端部が該長手方向と交わる方向の折り目で互いに逆方向に折り曲げられて前記係合部が形成された、請求項３に記載の掲示板固定構造に用いられる抱え部材。
【発明の詳細な説明】
【０００１】
【発明の属する技術分野】
本発明は一時的に立設しかつ繰り返し使用する掲示板の固定構造に関する。
【０００２】
【従来の技術】
選挙用のポスターを掲示するための掲示板のように一時的に立設しかつ繰り返し使用する掲示板については、立設及び撤去の操作が簡易であることが要求される。このため、立設用支柱と掲示板との連結についての各種の方式が開示されている（例えば、特許文献１〜６参照。）。これらはいずれも所定の形状の連結用の部材を介してボルトとナットによる締結によって支柱と掲示板とを連結するものであり、その連結用の部材のボルトの通し孔にボルトを通してナットで締結するという構成になっている。このため、締結に際してはその連結用の部材と支柱と掲示板との組み合わせ構造における狭い隙間にボルトを装着し、場合によってはナットもまた狭い隙間でボルトに装着せねばならない。更に、場合によってはボルト又はナットを固定しつつボルトを締める操作も狭い隙間で行わなければならず、組み立て構造の分解もこの逆の操作となる。従って、これらの方式は、立設及び撤去の操作が簡易であるとはいえない。
【０００３】
又、クランプ金具を介して支柱に固定された金属製の枠部材に掲示板を嵌め込む構成（例えば、特許文献６、７参照。）も開示されているが、掲示板のほかに掲示板と少なくとも同じ外面積でかつ重く又嵩張る複雑な形状の枠部材を組み立てて用意することになり、立設及び分解の操作が簡易であるとはいえない。
【０００４】
【特許文献１】
登録実用新案公報第３０９０５９９号（第１図）
【特許文献２】
登録実用新案公報第３０３３８０６号（第２図）
【特許文献３】
特開２００２−３１１８６６号公報（第１０図）
【特許文献４】
特開２００１−３３１１３５号公報（第１図）
【特許文献５】
特開２００１−８３９１８号公報（第３図）
【特許文献６】
特開平９−２８８４６４号公報（第３図）
【特許文献７】
特開２００１−３３１１３５号公報（第１図）
【０００５】
【発明が解決しようとする課題】
本発明は、これら問題点に鑑み、組み立て分解操作が容易な掲示板固定構造を提供しようとする。
【０００６】
【課題を解決するための手段】
本発明の要旨とするところは、
掲示板を固定棒に締結する固定構造であって、
掲示板の裏面側に設けられた係止部材と、
細長の部材から成り、該部材の長手方向中央部で山状に屈曲した曲り部と該曲り部を間にした脚部の一対から形成され、該曲り部に該曲り部の内側に向けて螺子孔が形成され、各前記脚部の先端部に前記係止部材と係合した係合部を備える、抱え部材と、
前記螺子孔に螺入した締結ボルトとを含んで成り、
固定棒が該曲り部の内側に抱えられて該曲り部と前記掲示板との間に位置して、前記締結ボルトの先端が前記固定棒を押圧し、前記掲示板が前記固定棒に前記抱え部材及び前記係止部材を介して締結された掲示板固定構造であることにある。
【０００７】
前記係止部材は、前記掲示板に固着され得る。
【０００８】
前記係止部材は、前記掲示板の裏面側から後方に延出し先端に鉤曲り部を備え得る。
【０００９】
前記掲示板固定構造においては、前記係止部材が長尺であり得、前記鉤曲り部が前記係止部材の長手方向に沿って形成され得る。
【００１０】
前記係止部材は、互いに面対称に位置して先端を対向させた一対の鉤曲り部を有し得る。
【００１１】
前記係止部材の形状は、リップ付き溝形であり得る。
【００１２】
前記係合部は、前記脚部の先端部から該脚部の長手方向に延出する延出部と、一対の前記脚部のいずれとも平行な面と直交する方向に該延出部から延出する係止片とを有し得る。
【００１３】
前記係合部は、前記脚部の先端部から該脚部の長手方向に延出する延出部と、一対の前記脚部のいずれとも平行な面と直交する相反する２方向に該延出部からそれぞれ延出する係止片の一対とを有し得る。
【００１４】
又、本発明の要旨とするところは、前記細長の部材が、帯状部材を含み、前記脚部において該脚部の長手方向を軸として該帯状部材が９０度ひねられ、該脚部の先端部で該長手方向と直交する折り目で曲げられて前記係合部が形成された、前記掲示板固定構造に用いられる前記抱え部材であることにある。
【００１５】
更に、本発明の要旨とするところは、前記細長の部材が、帯状部材と板部材とを含み、前記脚部において該脚部の長手方向を軸として該帯状部材が９０度ひねられ、前記板部材が該脚部の先端部に該板部材の面を該長手方向と直交させて接合されて前記係合部が形成された、前記掲示板固定構造に用いられる前記抱え部材であることにある。
【００１６】
前記抱え部材においては、前記細長の部材が帯状部材を含み得、前記脚部において該脚部の長手方向を軸として該帯状部材が９０度ひねられ得、該脚部の先端に該脚部の長手方向に切り込みが形成され得、該切り込みを境として該脚部の先端部が該長手方向と交わる方向の折り目で互いに逆方向に折り曲げられて前記係合部が形成され得る。
【００１７】
【発明の実施の形態】
本発明に係る態様を図面に基づいて詳しく説明する。図１は本発明の掲示板固定構造に用いられる抱え部材１０の構成を示す。抱え部材１０は、細長の部材１２から成り、長手方向にみた中間１１で山状に屈曲して曲り部１４を形成し、曲り部１４に曲り部１４の内側に向けて螺子孔１６が形成されている。螺子孔１６には、締結ボルト３２が螺入することとなる。抱え部材１０は曲り部１４を間にして脚部１７の一対を備える。脚部１７の先端部１８に、Ｌ字状に図面視上方に曲げられた係合部１９が備えられる。即ち、係合部１８は、脚部１７から脚部１７の長手方向に延出する延出部２３と、一対の脚部１７のいずれとも平行な面と直交する矢印Ａの方向に延出部２３から延出する係止片２５とを有する。この構成により、先端部１８において、係合部１９の、一対の脚部１７いずれとも平行な面と直交しかつ係合部１９を備える脚部１７の長手方向と平行な断面の形状が、図面視横向きのＬ字状となる。
【００１８】
抱え部材１０は複数の要素部材を接合して作ってもよいが、細長の部材１２の素材として１枚の帯状部材を用いて、１枚の帯状部材から手間をかけずに好適に作ることが出来る。即ち、１枚の帯状部材を長手方向中央で曲げて曲り部１４を形成し、曲り部１４から延出される脚部１７に相当する部分をその部分の長手方向を軸として９０度ひねり、先端部をその脚部１７に相当する部分の長手方向と直交する折り目４３で直角に曲げることにより作ることが出来る。
【００１９】
図２は、抱え部材１０を用いた本発明の掲示板固定構造２を示す。図２において、掲示板４の裏面側には、掲示板４の後方に延出し先端に鉤曲り部２２を備える係止部材２４が取り付けられている。係止部材２４は掲示板４の裏面に接着剤により接着されて固着されている。係止部材２４は掲示板４の裏面に木螺子あるいは小型のボルト・ナットを用いて固着されてもよい。あるいは、掲示板４が枠体に収められている場合、その枠体に係止部材２４が固定されていてもよい。
【００２０】
係止部材２４は、長尺の部材２６から成り、長手方向を掲示板４の横方向と一致させて掲示板４に取り付けられている。固定棒３０が抱え部材１０の曲り部１４（図１）の内側に抱えられて曲り部１４と係止部材２４、掲示板４との間に位置する。係止部材２４の長手方向は固定棒３０の長手方向と直交する。係合部１９が鉤曲り部２２に係合して、締結ボルト３２が螺子孔１６（図１）に螺入して、締結ボルト３２の先端が固定棒３０を押圧し、掲示板４が、固定棒３０に抱え部材１０及び係止部材２４を介して締結される。
【００２１】
図３に掲示板固定構造２の側面模式図を示す。係止部材２４の断面形状は四角中空状であり、かつ、掲示板４に固着された側壁３８に対向する側壁４０に長手方向に沿って切り欠き３６が形成されている。即ち、係止部材２４の輪切り断面形状は、一辺の中央部が欠落した四角形状（リップ付き溝形形状）である。係止部材２４としてはアルミの押出し成形材等が好適に用いられる。係止部材２４のこのような形状と配置により、側壁３８と隣接する図面視上下各側壁４２と、側壁４０が分割されてできた側壁４１、４３とで鉤曲り部２２が形成される。係止片２３が図面視上向きとなっていて、先端が図面視下向きの側壁４１に係合する。抱え部材１０を図３とは図面視上下逆に取り付けて、係止片２３を図面視下向きとして、先端が図面視上向きの側壁４３に係合してもよい。
【００２２】
図４に示すように、掲示板固定構造２においては、係止部材２４は掲示板４に複数個が横段状に取り付けられ、１本の固定棒３０が各係止部材２４を介して締結固定される。図面視上段及び中段の係止部材２４に係合される抱え部材１０の係合部１９の先端４４は図面視上向きとなっている。図面視下段の係止部材２４に係合される抱え部材１０の係合部１９の先端４４は図面視下向きとなっている。この構成により、掲示板４に上向きの異常な力が加わった場合でも、掲示板４の上方への移動が図面視下段の係止部材２４に係合される抱え部材１０の係合部１９（図１）の先端４４により抑止されるので、各段の係止部材２４と抱え部材１０との係合が外れることがなく、掲示板４が固定棒３０に安定して固定される。
【００２３】
なお、固定棒３０が横方向にも張られている場合は、係止部材２４を長手方向を縦にして掲示板４に取り付け、固定棒の横方向に張られている部分に、長手方向を縦にして掲示板４に取り付けられた係止部材２４を固定する態様も可能である。
【００２４】
本発明の他の態様の一例においては、図５に示す抱え部材１０ａが用いられる。抱え部材１０ａにおいては、係合部１９ａがＴ字状に形成されている。即ち、係合部１９ａが、脚部１７の先端部から脚部１７の長手方向に延出する延出部２３と、一対の脚部１７のいずれとも平行な面と直交する相反する２方向（矢印Ｂ、Ｃ）に延出部２３からそれぞれ延出する係止片２５ａ、２５ｂの一対とを有する。この構成により、係合部１９ａの、一対の脚部１７の長手方向いずれとも平行な面と直交しかつ係合部１９ａを備える脚部１７の長手方向と平行な断面の形状が、図面視横向きのＴ字状となる。
【００２５】
抱え部材１０ａは、曲り部１４、脚部１７、延出部２３を、１枚の帯状部材と係止片２５ａ、２５ｂに相当する一対の板部材とから手間をかけずに好適に作ることが出来る。即ち、１枚の帯状部材を長手方向中央で曲げて曲り部１４を形成し、曲り部１４から延出される脚部１７に相当する部分をその部分の長手方向を軸として９０度ひねり、先端部に、係止片２５ａ、２５ｂに相当する１枚の板部材を、その板部材の面方向と、脚部１７に相当する部分の長手方向とを直交させて接合して得ることが出来る。
【００２６】
更に、図６に示すように、図５に示す抱え部材１０ａと同様に互いに逆方向Ｂ、Ｃに延出する係止片３５ａ、３５ｂを有する抱え部材１０ｂを１枚の帯状部材から手間をかけずに好適に作ることが出来る。即ち、１枚の帯状部材を長手方向中央で曲げて曲り部１４を形成し、曲り部１４から延出される脚部１７に相当する部分をその部分の長手方向を軸として９０度ひねり、脚部１７の先端部１８に脚部１７の長手方向に切り込み３１が形成される。切り込み３１を境として先端部２７が脚部１７の長手方向と交わる方向の折り目３３で互いに逆方向に折り曲げられて係止片３５ａ、３５ｂとなり、係合部１９ｂが形成される。
【００２７】
図７に抱え部材１０ａを用いた掲示板固定構造２ａの側面模式図を示す。図７（ａ）においては、抱え部材１０ａの図面視上向きの係止片２５ａが図面視下向きの側壁４１に係合する。あるいは、図７（ｂ）に示すように、図面視下向きの係止片２５ｂを図面視上向きの側壁４３に係合してもよい。このように、抱え部材１０ａは、状況に応じて、抱え部材１０ａを僅か上下に移動させるだけで、図７（ａ）、図７（ｂ）のいずれの係合の態様もとることが出来る。更に、抱え部材１０ａは係合部１９ａの先端が両方向に延出されており、上下（順逆）を気にせずに固定棒３０への装着操作を行なうことが出来るので掲示板固定構造２ａの組み立て作業の効率がよい。
【００２８】
図８に、抱え部材１０ａを用いた掲示板固定構造２ａの構成を示す。図面視上段及び中段の係止部材２４に係合される抱え部材１０ａにおいては、抱え部材１０ａの図面視上向きの係止片２５ａが図面視下向きの側壁４１に係合する。図面視下段の係止部材２４に係合される抱え部材１０ａにおいては、抱え部材１０ａの図面視下向きの係止片２５ｂが図面視上向きの側壁４３に係合する。この構成により、掲示板４に上向きの異常な力が加わった場合でも、掲示板４の上方への移動が図面視下段の係止部材２４に係合される抱え部材１０ａの図面視下向きの係止片２５ｂにより抑止されるので、各段の係止部材２４と抱え部材１０ａとの係合が外れることがなく、掲示板４が固定棒３０に安定して固定される。
【００２９】
本発明においては、係止部材や係合部の形状、係合の態様は特に限定されず、図９、図１０に示すようなものであってもよい。図９においては、係止部材２４ａが鉤曲り部２２ａとして図面視下向きの側壁４１のみを備え、図面視上向きの側壁を有しない。図１０においては、係合部１９ｂの折れ曲がりの角度αが鋭角であり、係止部材２４ｂの鉤曲り部２２ｂにおける図面視下向きの側壁４１ｂと、図面視上側の側壁４２とのなす角度βが鋭角である。図面視上向きの側壁４３ｂと、図面視下側の側壁４２とのなす角度γも鋭角である。
【００３０】
更に、本発明においては、係止部材は掲示板の左右両端にわたる長尺のものでなくともよい。例えば、図１１に示すように１個の抱え部材１０に係合するのに必要充分な長さを有する係止部材２４ｃであってもよい。
【００３１】
又、本発明においては、係止部材は、例えば、図１２に示すように掲示板４の面から弧状に立設された棒状部材から成る係止部材２４ｇであってもよい。係止片２５が棒状部材の弧の内側に挿入されて係止部材２４ｇと係合部１８とが係合する。係止部材は、フック状の棒状部材から成るものであってもよい。
【００３２】
更に、本発明においては、係止部材、抱え部材、掲示板、固定棒の相互の位置関係が、図１３に示すようなものである掲示板固定構造２ｂであってもよい。掲示板固定構造２ｂにおいては、一対の係止部材２４ｄが固定棒３０を間にして掲示板４に固着され、固定棒３０が掲示板４に接する状態で抱え部材を介して締結固定される。
【００３３】
又更に、本発明においては、係止部材、抱え部材、掲示板、固定棒の相互の位置関係が、図１４に示すようなものである掲示板固定構造２ｃであってもよい。掲示板固定構造２ｃにおいては、一対の係止部材２４ｆが固定棒３０を間にして掲示板４に固着され、固定棒３０が掲示板４に接する状態で抱え部材を介して締結固定される。又、係合部１９ｃはＬ字状に外側に向けて曲げられてとなっている。即ち、係合部１９ｃの、一対の脚部１７いずれとも平行な面と平行な断面の形状が、Ｌ字状である。係止部材２４ｆは、一対の係止部材２４ｆの内側に向けて曲げられた鉤曲り部２２ｃを備え、鉤曲り部２２ｃに係合部１９ｃが係合する。
【００３４】
なお、本明細書においては、各図にわたって記される同じ符号は同一又は同様の部材やものを示す。
【００３５】
以上本発明の掲示板固定構造の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【００３６】
例えば、係止部材２４の輪切り断面形状は、図１５に示すように、掲示板に接する辺（側壁３８）が外側に延長された形状であってもよい。
【００３７】
【発明の効果】
本発明の掲示板固定構造は要素部材の数が少なく構造が単純なため組み立て分解操作が容易である。
【図面の簡単な説明】
【図１】本発明の掲示板固定構造に用いられる抱え部材の構成を示す斜視模式図。
【図２】図１に示す抱え部材を用いた本発明の掲示板固定構造を示す斜視模式図。
【図３】本発明の掲示板固定構造の側面模式図。
【図４】本発明の掲示板固定構造の構成を示す側面模式図。
【図５】本発明に用いられる抱え部材の他の態様の一例を示す斜視模式図。
【図６】本発明に用いられる抱え部材の更に他の態様の一例を示す斜視模式図。
【図７】図５に示す抱え部材を用いた本発明の掲示板固定構造の側面模式図。図７（ａ）と図７（ｂ）とでは係合の態様が異なる。
【図８】図５に示す抱え部材を用いた本発明の掲示板固定構造の構成を示す側面模式図。
【図９】本発明において用いられる係止部材の他の態様の一例を示す側面模式図。
【図１０】本発明における係止部材と抱え部材の係合の他の態様の一例を示す側面模式図。
【図１１】係止部材の更に他の態様の一例を説明する斜視模式図。
【図１２】係止部材の又更に他の態様の一例を説明する斜視模式図。
【図１３】本発明の掲示板固定構造の更に他の態様の一例を示す平面模式図（図１３（ａ））及び側面模式図。
【図１４】本発明の掲示板固定構造の又更に他の態様の一例を示す平面模式図。
【図１５】係止部材の別の態様の一例を示す断面図。
【符号の説明】
２、２ａ、２ｂ、２ｃ：掲示板固定構造
４：掲示板
１０、１０ａ、１０ｂ、１０ｃ：抱え部材
１４：曲り部
１６：螺子孔
１７：脚部
１９、１９ａ、１９ｂ、１９ｃ：係合部
２２、２２ａ、２２ｂ、２２ｃ：鉤曲り部
２３：延出部
２４、２４ａ、２４ｂ、２４ｃ、２４ｄ、２４ｆ、２４ｇ：係止部材
２５、２５ａ、２５ｂ、３５ａ、３５ｂ：係止片
３０：固定棒
３２：締結ボルト
３３：折り目
【図１】
2004361441.tif 000003
【図２】
2004361441.tif 000004
【図３】
2004361441.tif 000005
【図４】
2004361441.tif 000006
【図５】
2004361441.tif 000007
【図６】
2004361441.tif 000008
【図７】
2004361441.tif 000009
【図８】
2004361441.tif 000010
【図９】
2004361441.tif 000011
【図１０】
2004361441.tif 000012
【図１１】
2004361441.tif 000013
【図１２】
2004361441.tif 000014
【図１３】
2004361441.tif 000015
【図１４】
2004361441.tif 000016
【図１５】
2004361441.tif 000017